(57)【要約】【課題】男性生殖器に被せて長時間ペニスを硬い状態に維持するペニスサック構造を提供する。【解決手段】ペニスサック構造は、ペニスサック本体１０を備える。ペニスサック本体１０は、適宜な長さを有する管状体からなる。ペニスサック本体１０の中心部には、複斜度係合孔１１が穿設される。複斜度係合孔１１は、周設部１１１及び円錐部１１２を有する。周設部１１１は、等径の孔部を有する。円錐部１１２は、周設部１１１から前端にかけて徐々に拡大する。ペニスサック本体１０の外周には、少なくとも１つの円弧溝１２が形成される。ペニスサック本体１０は、少なくとも１つの拡張巻線２０を有する。拡張巻線２０は、円弧溝１２に嵌設される。拡張巻線２０は、少なくとも１種類の断面寸法を有する。【選択図】図２
0003220503.tif 000002
【実用新案登録請求の範囲】
【請求項１】
ペニスサック本体を備えたペニスサック構造であって、
前記ペニスサック本体は、適宜な長さを有する管状体からなり、
前記ペニスサック本体の中心部には、複斜度係合孔が穿設されることを特徴とするペニスサック構造。
【請求項２】
前記複斜度係合孔は、周設部及び円錐部を有し、
前記周設部は、等径の孔部を有し、
前記円錐部は、前記周設部から前端にかけて徐々に拡大することを特徴とする請求項１に記載のペニスサック構造。
【請求項３】
前記ペニスサック本体の外周には、少なくとも１つの円弧溝が形成されることを特徴とする請求項１に記載のペニスサック構造。
【請求項４】
前記ペニスサック本体は、少なくとも１つの拡張巻線を有し、
前記拡張巻線は、前記円弧溝に嵌設されることを特徴とする請求項１又は３に記載のペニスサック構造。
【請求項５】
前記拡張巻線は、少なくとも１種類の断面寸法を有することを特徴とする請求項４に記載のペニスサック構造。
【考案の詳細な説明】
【技術分野】
【０００１】
本考案は、ペニスサック構造に関するものであり、さらに詳しくは、、特に、男性生殖器に被せて長時間ペニスを硬い状態に維持することが可能なペニスサック構造に関するものである。
【背景技術】
【０００２】
ペニスサックは、男性生殖器に被せて使用するアダルトグッズであり、係入孔を有する環状体からなり、生殖器の根元まで被せて使用し、ペニスサックの締付け作用により、海綿体の血液が静脈に環流する速度を下げることにより、海綿体の充血状態が維持される時間を延ばすように構成されている。
【０００３】
従来のペニスサックは、性行為の能力を高めることができたが、従来のペニスサックの構造が単純であるため、提供可能な機能も単純であり、ユーザがサイズを大きくするか、刺激効果を高める場合、従来のサックでは性感を高める機能を提供することができないという問題があった。
【０００４】
そのため、様々な機能を有するペニスサックが求められていた。
【考案の概要】
【考案が解決しようとする課題】
【０００５】
従って、本考案の主な課題は、構造を簡素化すると共に、多くの実用的な機能を備えたペニスサック構造を提供することにある。
【課題を解決するための手段】
【０００６】
そこで、本考案者は、前記の本考案の課題を解決するために鋭意検討を重ねた結果、ペニスサック本体の中心部に複斜度係合孔を穿設することにより、前記課題を解決できることに着目し、かかる知見に基いて本考案に想到するに至った。
【０００７】
かくして、本考案の要旨は、下記の（１）〜（５）に記載の通りである。
（１）ペニスサック本体を備えたペニスサック構造であって、
前記ペニスサック本体は、適宜な長さを有する管状体からなり、
前記ペニスサック本体の中心部には、複斜度係合孔が穿設されることを特徴とするペニスサック構造。
（２）前記複斜度係合孔は、周設部及び円錐部を有し、
前記周設部は、等径の孔部を有し、
前記円錐部は、前記周設部から前端にかけて徐々に拡大することを特徴とする前記（１）に記載のペニスサック構造。
（３）前記ペニスサック本体の外周には、少なくとも１つの円弧溝が形成されることを特徴とする前記（１）に記載のペニスサック構造。
（４）前記ペニスサック本体は、少なくとも１つの拡張巻線を有し、
前記拡張巻線は、前記円弧溝に嵌設されることを特徴とする前記（１）又は（３）に記載のペニスサック構造。
（５）前記拡張巻線は、少なくとも１種類の断面寸法を有することを特徴とする前記（４）に記載のペニスサック構造。
【考案の効果】
【０００８】
本考案は、前記の通りの構成からなるものであり、後述のように、男性生殖器の海綿体内の血液が環流することを防止することにより、生殖器が充血し、硬度を維持することができると共に、断面の凹凸形状により刺激作用を高めることができる。 
【図面の簡単な説明】
【０００９】
【図１】図１は、本考案の一実施形態に係るペニスサック構造を示す斜視図である。
【図２】図２は、本考案の一実施形態に係るペニスサック構造を示す断面図である。
【図３】図３は、本考案の一実施形態に係るペニスサック構造を示す説明図である。
【図４】図４は、本考案の一実施形態に係るペニスサック構造を示す別の角度からの斜視図である。
【考案を実施するための形態】
【００１０】
以下、本考案について図面により具体的に説明する。もっとも本考案は、かかる図面等により限定されるものではない。
図１及び図２を参照する。図１は、本考案の一実施形態に係るペニスサック構造を示す斜視図である。図２は、本考案の一実施形態に係るペニスサック構造を示す断面図である。図１及び図２に示すように、本考案の一実施形態に係るペニスサック構造は、ペニスサック本体１０を備える。ペニスサック本体１０は、適宜な長さを有する管状体からなる。ペニスサック本体１０の中心部には、複斜度係合孔１１が穿設される。ペニスサック本体１０の外周には、少なくとも１つの円弧溝１２が形成される。
【００１１】
前述した複斜度係合孔１１は、周設部１１１及び円錐部１１２を有する。周設部１１１は、等径の孔部を有する。円錐部１１２は、周設部１１１から前端にかけて徐々に拡大する。前述した少なくとも１つの円弧溝１２により、ユーザは凹凸の触感が得られ、簡素なペニスサックに別の機能を付与してもよい。ペニスサック本体１０の各造型の角度が緩やかに変化しているため、皮膚が触れると快感が得られる。
【００１２】
図３を参照する。図３は、本考案の一実施形態に係るペニスサック構造を示す説明図である。図３に示すように、主に、男性生殖器を複斜度係合孔１１に挿入し、周設部１１１を生殖器の根元に押し付けて生殖器を締め付ける力を発生させ、生殖器の海綿体内の血液が環流することを防ぎ、生殖器が充血して硬くなる状態を維持することができる。少なくとも１つの円弧溝１２により構成された凹凸形状は、女性の生殖器に刺激を与え、性行為を行う時に性感を高めることができる。
【００１３】
図２及び図４を参照する。図２は、本考案の一実施形態に係るペニスサック構造を示す断面図である。図４は、本考案の一実施形態に係るペニスサック構造を示す別の角度からの斜視図である。図２及び図４に示すように、本考案の一実施形態に係るペニスサック構造は、少なくとも１つの拡張巻線２０を含む。少なくとも１つの拡張巻線２０が円弧溝１２に巻き付けられているため、ペニスサック本体１０の直径及び刺激作用が高まる。少なくとも１つの拡張巻線２０の巻線の断面は、少なくとも１つの寸法に製作してもよく、ユーザの実際の必要に応じて選択してもよい。
【００１４】
上述したことから分かるように、本考案のペニスサック構造は、以下（１）及び（２）の長所を有する。
（１）ペニスサック本体１０の外周表面に少なくとも１つの円弧溝１２を凹凸形成し、従来のペニスサックよりも優れた簡素な形状及び機能を有する。
（２）少なくとも１つの拡張巻線２０を組み合わせて使用することにより、ユーザの必要に応じて刺激効果を高め、性行為を行う時の性感を高めることができる。
【符号の説明】
【００１５】
１０  ペニスサック本体
１１  複斜度係合孔
１２  円弧溝
２０  拡張巻線
１１１  周設部
１１２  円錐部
【図１】
0003220503.tif 000003
【図２】
0003220503.tif 000004
【図３】
0003220503.tif 000005
【図４】
0003220503.tif 000006
【手続補正書】
【提出日】平成31年1月16日(2019.1.16)
【手続補正１】
【補正対象書類名】実用新案登録請求の範囲
【補正対象項目名】全文
【補正方法】変更
【補正の内容】
【実用新案登録請求の範囲】
【請求項１】
ペニスサック本体を備えたペニスサック構造であって、
前記ペニスサック本体は、適宜な長さを有する管状体からなり、
前記ペニスサック本体の中心部には、複斜度係合孔が穿設されることを特徴とするペニス
サック構造。
【請求項２】
前記複斜度係合孔は、周設部及び円錐部を有し、
前記周設部は、等径の孔部を有し、
前記円錐部は、前記周設部から前端にかけて徐々に拡大することを特徴とする請求項１に記載のペニスサック構造。
【請求項３】
前記ペニスサック本体の外周には、少なくとも１つの円弧溝が形成されることを特徴とする請求項１に記載のペニスサック構造。
【請求項４】
前記ペニスサック本体は、少なくとも１つの拡張巻線を有し、
前記拡張巻線は、前記円弧溝に嵌設されることを特徴とする請求項３に記載のペニスサック構造。
【請求項５】
前記拡張巻線は、少なくとも１種類の断面寸法を有することを特徴とする請求項４に記載のペニスサック構造。
【手続補正２】
【補正対象書類名】明細書
【補正対象項目名】０００７
【補正方法】変更
【補正の内容】
【０００７】
かくして、本考案の要旨は、下記の（１）〜（５）に記載の通りである。
（１）ペニスサック本体を備えたペニスサック構造であって、
前記ペニスサック本体は、適宜な長さを有する管状体からなり、
前記ペニスサック本体の中心部には、複斜度係合孔が穿設されることを特徴とするペニスサック構造。
（２）前記複斜度係合孔は、周設部及び円錐部を有し、
前記周設部は、等径の孔部を有し、
前記円錐部は、前記周設部から前端にかけて徐々に拡大することを特徴とする前記（１）に記載のペニスサック構造。
（３）前記ペニスサック本体の外周には、少なくとも１つの円弧溝が形成されることを特徴とする前記（１）に記載のペニスサック構造。
（４）前記ペニスサック本体は、少なくとも１つの拡張巻線を有し、  前記拡張巻線は、前記円弧溝に嵌設されることを特徴とする前記（３）に記載のペニスサック構造。
（５）前記拡張巻線は、少なくとも１種類の断面寸法を有することを特徴とする前記（４）に記載のペニスサック構造。